(57)【要約】【課題】再現性のあるデータを得ることができるシールドケースを提供する。【解決手段】携帯電話機１２を電磁遮蔽した状態で収納可能な収納体１４の内部に、携帯電話機１２を載置するための基台２８と、携帯電話機１２を着脱自在に保持するチャック手段とを有する。このチャック手段は、携帯電話機１２の長手方向の一端と接触する基準柱２２と、基準柱２２に対向する位置に設けられた弾性体を備えたスライド体２４を有する。スライド体２４は、弾性変形により長手方向にスライドするとともに弾性復元力により携帯電話機の他端を押さえる。【選択図】        図２
2004354171.tif 000002
【特許請求の範囲】
【請求項１】
携帯電話機を電磁遮蔽した状態で収納可能な収納体と、
収納体内部に設けられ、携帯電話機を載置するための基台と、
基台上に設けられ、携帯電話機を着脱自在に保持するチャック手段と、
を有する携帯電話機測定用のシールドケースであって、
チャック手段は、
基台上に設けられ、携帯電話機の長手方向の一端と接触する基準柱と、
基準柱に対向する位置に設けられた弾性体を備えたスライド体であって、弾性変形により長手方向にスライドするとともに弾性復元力により携帯電話機の他端を押さえるスライド体と、
を有することを特徴とする携帯電話機測定用のシールドケース。
【請求項２】
請求項１に記載の携帯電話機測定用のシールドケースであって、
携帯電話機の両側方に設けられる一対のクリップを有し、
クリップは、弾性体を備え、携帯電話機の短手方向にスライドするとともに弾性復元力により携帯電話機の側面を押さえることを特徴とする携帯電話機測定用のシールドケース。
【請求項３】
請求項１または２に記載の携帯電話機測定用のシールドケースであって、
基準柱は、携帯電話機の短手方向の基準位置を示す基準マークを有することを特徴とする携帯電話機測定用のシールドケース。
【請求項４】
請求項１乃至３に記載の携帯電話機測定用のシールドケースであって、
収納体は、
上面から見て矩形の開口部を有する箱体と、
この箱体に結合され、開口部を開閉自在に蓋する蓋体と、
を有し、
携帯電話機の載置方向は、開口部の矩形の一辺に対して傾斜していることを特徴とする携帯電話機測定用のシールドケース。
【請求項５】
請求項１乃至４のいずれか１に記載の携帯電話機測定用のシールドケースであって、
スライド体の弾性体は、スプリングであることを特徴とする携帯電話機測定用のシールドケース。
【請求項６】
請求項１乃至５のいずれか１に記載の携帯電話機測定用のシールドケースであって、
クリップの弾性体は、スプリングであることを特徴とする携帯電話機測定用のシールドケース。
【発明の詳細な説明】
【０００１】
【発明の属する技術分野】
本発明は、携帯電話機の電気的特性能を測定する際に用いられるシールドケースに関する。
【０００２】
【従来の技術】
携帯電話機の電気的特性能を測定する場合、対象となる携帯電話機を電磁的に遮蔽された環境に置き、測定用アンテナからの電波の受信状況を測定する。このとき、同一の携帯電話機では、携帯電話機のアンテナと測定用アンテナとの相対位置関係が常に同じである必要がある。この相対位置関係が異なると再現性のあるデータを得ることができないからである。
【０００３】
このような携帯電話機の電気的特性能測定のために、特許文献１には、携帯電話機測定用シールドボックスが開示されている。これは、電磁的に遮蔽された電磁遮蔽室を実現するボックスであり、電磁遮蔽室の内部には、携帯電話機を載置する支持台が設けられている。この支持台には、携帯電話機の位置決め用の位置決めピンおよび衝立が設けられている。携帯電話機を載置する際には、携帯電話機の上端面を位置決めピンに、側面を衝立に接触させて載置する。これにより、容易に携帯電話機の位置決めが可能となり、電気的特性能の再現性を向上させることができる。
【０００４】
【特許文献１】
特開平１１−３０４８６６号公報
【０００５】
【発明が解決しようとする課題】
ここで、特許文献１における衝立は平板であり、携帯電話機の側面との接触は、面と面との接触となる。しかしながら、携帯電話の形状は様々であり、特に折畳式の携帯電話機のように側面形状が平坦でないものも多い。このような携帯電話機においては、特許文献１に開示されているような面と面との接触での位置決めは困難となる。また、特許文献１では、単に携帯電話機を載置しているだけのため、位置ズレなどが生じる可能性がある。その場合、再現性のあるデータを得ることができない。
【０００６】
そこで、本発明では、再現性のあるデータを得ることができる携帯電話機測定用のシールドケースを提供することを目的とする。
【０００７】
【課題を解決するための手段】
本発明の携帯電話機測定用のシールドケースは、携帯電話機を電磁遮蔽した状態で収納可能な収納体と、収納体内部に設けられ、携帯電話機を載置するための基台と、基台上に設けられ、携帯電話機を着脱自在に保持するチャック手段と、を有する携帯電話機測定用のシールドケースであって、チャック手段は、基台上に設けられ、携帯電話機の長手方向の一端と接触する基準柱と、基準柱に対向する位置に設けられた弾性体を備えたスライド体であって、弾性変形により長手方向にスライドするとともに弾性復元力により携帯電話機の他端を押さえるスライド体と、を有することを特徴とする。
【０００８】
これにより、携帯電話機の形状に関わらず常に同じ位置に載置、保持することができる。そのため、再現性のあるデータを得ることができる。
【０００９】
ここで、携帯電話機としては、折畳式、ストレート式のいずれであってもよい。弾性体はスプリングであることが好適であるが、他の弾性体であってもよい。例えば、スポンジやゴムなどであってもよい。また、弾性体を備え、携帯電話機の短手方向にスライドするとともに弾性復元力により携帯電話機の側面を押さえるクリップを携帯電話機の両側方に有すると尚、好適である。さらに、基準柱は、携帯電話機の短手方向の基準位置を示す基準マークを有すると、より好適であるが、無くてもよい。
【００１０】
【発明の実施の形態】
以下、本発明の実施の形態である携帯電話機測定用のシールドケース１０について図面を参照して説明する。
【００１１】
図１に携帯電話機１２を収納したときのシールドケース１０の斜視図を、図２にその上面図を示す。
【００１２】
シールドケース１０は、直方体の箱体１４と蓋体１６から構成される収納体の内部に携帯電話機１２を載置する基台１８と携帯電話機１２を着脱自在に保持するチャック部材２０とを有している。
【００１３】
箱体１４および蓋体１６は、ともに電磁遮蔽部材で形成されている。箱体１４は、直方体で、携帯電話機１２の出し入れが可能な開口部を有している。この開口部は上面から見た場合に長方形である。蓋体１６は、ヒンジ部材３１により箱体１４と結合されており、開閉自在となっている。また、蓋体１６は雄爪３４を有しており、箱体１４の有する雌爪３６と係合可能となっている。蓋体１６を閉めると、箱体１４の内部は、電磁的に遮蔽され、シールドケース１０外部の電磁波の影響を受けないようになっている。
【００１４】
基台１８は、背面に測定用アンテナ３２を有するアクリル板３０とその上面に設けられた略長方形の載置台２８とからなる。アクリル板３０は、箱体１４の底近くに設けられており、一部に切り欠き部３０ａを有した偏五角形である。この切り欠き部３０ａは、携帯電話機１２の載置方向と平行に設けられている。
【００１５】
携帯電話機１２の載置方向は、箱体１４の一辺に対し傾斜している。これは、傾斜させることにより、箱体１４の長手方向の長さを短縮するためである。また、載置方向を傾斜させることにより、携帯電話機１２を持つ手の曲げを抑え、より容易に載置することができる。切り欠き部３０ａをこの載置方向と平行に設けることにより、載置された携帯電話機１２の載置方向が正しいかを確認することができる。
【００１６】
アクリル板３０の上面には、載置台２８が設けられている。載置台２８は、携帯電話機１２が載置される台であり、携帯電話機１２を傷つけないために発泡部材で形成されている。載置台２８の形状は、携帯電話機１２より大きい略長方形であり、箱体１４の長辺に対して約２０度の傾斜を有して設置されている。これは、携帯電話機１２の載置方向に合わせたものである。
【００１７】
なお、アクリル板３０および載置台２８は、携帯電話機１２を載置できるものであれば、他の形状、材質であってもよい。また、携帯電話機１２の載置方向も箱体に対して平行であってもよい。
【００１８】
基台１８の上面には、携帯電話機１２を着脱自在に保持するためのチャック部材２０が設けられている。チャック部材２０は、基準柱２２、スライド体２４および一対のクリップ２６に大別される。
【００１９】
このチャック部材２０について、図３〜図８を用いて説明する。図３はチャック部材２０および保持される携帯電話機１２の上面図であり、図４はその側面図、図５はその正面図である。また、図６は図３におけるＡ−Ａ断面図であり、図７はその補助図である。図８は図３におけるＢ−Ｂ断面図である。
【００２０】
基準柱２２は、基台１８上に設けられ、載置台２８に載置された携帯電話機１２の一端１２ａが接触するようになっている。ここで、接触する一端は、携帯電話機１２の長手方向の一端であり、携帯電話機１２のアンテナに近い側の一端であることが好適である。以下、この一端を基準端１２ａという。
【００２１】
基準柱２２は、側面から見た場合に略Ｌ字形状となっており、２つの接触面２２ａ、２２ｂを有している（図４参照）。一般に、折畳式携帯電話機１２はその全長が長く、載置したときの基準端１２ａは高い位置にある。一方、ストレート式携帯電話機は、図４において二点鎖線で示すように、折畳式に比べて全長が短く、基準端１２ａは低い位置にある。そのため、基準柱２２は、折畳式携帯電話機とストレート式携帯電話機の両方に使用できるように２つの接触面２２ａ、２２ｂを有している。すなわち、全長の長い折畳式の場合は、後述するスライド体２４から離れ、載置台２８から高い位置にある第１側面２２ａに接触させる。一方、全長の短いストレート式の場合は、スライド体２４からの距離が短く、載置台２８から低い位置にある第２側面２２ｂに接触させる。
【００２２】
このように、載置される携帯電話機１２の基準端１２ａを基準柱２２の側面に接触させることにより、Ｘ方向（携帯電話機の長手方向）に関して、容易に位置決めすることができる。また、基準端１２ａの接触面を２種類設けることで、折畳式とストレート式の携帯電話機で使用することができる。
【００２３】
また、基準柱２２の側面２２ａ、２２ｂには、図６に示すようにＹ方向（携帯電話機の短手方向）の基準位置を示すセンターライン４０が設けられている。これは、携帯電話機１２のＹ方向の位置決めに用いられる。一般に携帯電話機１２には、音声出力部など、中心位置に設けられている部位がある。携帯電話機１２を載置する際は、この中心位置に設けられた部位とセンターライン４０とを目視により合わせる。これにより、携帯電話機のＹ方向の位置決めを行うことができ、携帯電話機を常に同じ位置に載置することができる。
【００２４】
なお、本実施の形態では、折畳式とストレート式の両方で兼用できるように基準柱を略Ｌ字形状としているが、単一の接触面を有する形状であってもよい。また、より正確に位置決めできるようにセンターラインを設けているが、なくてもよい。
【００２５】
次に、スライド体について、主に図５、図８を用いて説明する。スライド体２４は、基台１８上の基準柱２２と対向する位置に設けられる。基準柱２２との距離は、一般的な携帯電話機１２の全長より若干短くなっている。スライド体２４は、図８に示すように、Ｘ方向（長手方向）にスライドする可動体４２、固定体４４およびこれらの間に設けられたスプリング４６を有している。固定体４２は、基台１８上に固定されており、載置される携帯電話機１２のプラグ３８を避けるＵ字形状となっている（図５参照）。
【００２６】
可動体４２は、携帯電話機１２の他端１２ｂと接触するようになっており、他端１２ｂの位置に応じてＸ方向にスライド可能となっている。これは、固定体４４と可動体４２との間に設けられたスプリング４６の弾性変形によるものである。スプリング４６は、固定体４４と可動体４２とを接続するガイド軸４８に挿通されており、可動体４２の動きに応じて伸縮する。可動体４２は、このスプリング４６の弾性変形によりＸ方向にスライドするとともに、スプリング４６の弾性復元力により適度な力で携帯電話機１２の他端１２ｂを押さえる。これにより携帯電話機の全長や形状に関わらず、携帯電話機を保持することができる。そして、携帯電話機の載置位置のずれを防止できる。
【００２７】
なお、弾性変形により長手方向にスライドするとともに携帯電話機の他端を押さえるものであれば、上記構成でなくてもよい。スプリングに替えてゴムやスポンジ、エアパッキン等からなるスライド体であってもよい。
【００２８】
次に、クリップ２６について、主に図６、図７を用いて説明する。クリップ２６は、載置される携帯電話機１２の両側方に設けられる。
【００２９】
このクリップ２６は、固定柱５０とこれに接続される回転体５２、および、ねじりスプリング５４から構成されている。ねじりスプリング５４の片側アームは固定柱５０に取り付けられ、他アームは回転体５２の底面に接している。回転体５２は、ねじりスプリング５４の弾性変形により携帯電話機１２の幅に応じて外側方向に移動するとともに弾性復元力により適度な力で携帯電話機１２の両側面を押さえる。このときの、両側方のクリップ２６の携帯電話機１２を押さえる力は、左右でほぼ同じである。この左右からほぼ同じ力で押さえる一対のクリップにより、載置される携帯電話機１２は、両クリップ２６の中間付近にすることができる。これにより、短手方向に関してより容易に携帯電話機１２の位置決めを行うことができ、携帯電話機１２を常に同じ位置に載置することができる。また、携帯電話機１２の固定性をより高めることができる。
【００３０】
なお、このクリップ２６も上記構成に限定されるものでない。スプリングに替えて他の弾性体であるスポンジやゴム、エアパッキンなどを用いてもよい。また、このクリップ２６を設けず、基準柱２２とスライド体２４のみで位置決め、固定を行ってもよい。その場合は、Ｘ方向（短手方向）の位置決めが困難となるため、例えば、基準柱２２とスライド体２４の両方にセンターラインを設け、そのラインに基づいて位置決めすることが好ましい。
【００３１】
次に、このシールドケース１０で携帯電話機１２の測定をする場合について説明する。測定する場合は、まず、携帯電話機１２の他端１２ｂをスライド体２４に押し当て、スライド体２４をＹ方向にスライドさせる（図２参照）。その状態で、携帯電話機１２を押し下げ、載置台２８に載置する。このとき、押し下げることにより、クリップ２６は、携帯電話機１２の幅に応じて外側方向にスライドする（図７参照）。そして、ゆっくりと手から携帯電話機１２を離すと、携帯電話機１２の基準端１２ａは、基準柱２２に接触する（図２参照）。
【００３２】
このとき、携帯電話機１２は、基準柱２２に接触することによりＸ方向に関して位置決めされる。Ｙ方向に関しては、両サイドのクリップ２６により位置決めされる。また、スライド体２４およびクリップ２６の弾性復元力により、その位置で保持される。
【００３３】
次に、携帯電話機１２の音声出力部と基準柱２２のセンターラインとを目視により合わせ、微調整する（図６参照）。これにより、携帯電話機１２は、より正確に位置決めされる。そして、蓋体１６を閉めて、箱体１４の内部を電磁遮蔽する。この状態で、アクリル板３０の背面に設けられた測定用アンテナ３２から電磁波を送信するとともに、携帯の受信状況を測定する。
【００３４】
このとき、携帯電話機１２のアンテナと測定用アンテナ３２との相対位置は、同形状の携帯電話機であれば常に同じになる。また、測定中に何らかの原因で箱体１４に振動などが生じても、携帯電話機１２は所定位置で保持されているため、その位置ズレを抑えることができる。これにより、再現性のあるデータを得ることができる。
【００３５】
以上、説明したように本実施の形態によれば、携帯電話機１２の形状に関わらず、同形状の携帯電話機であれば、常に同じ位置に位置決め、保持することができる。これにより、再現性のあるデータを得ることができる。
【００３６】
【発明の効果】
以上、説明したように本発明によれば、携帯電話機の電気的性能測定において、再現性のあるデータを得ることができる。
【図面の簡単な説明】
【図１】本発明の実施の形態であるシールドケースの斜視図である。
【図２】本発明の実施の形態であるシールドケースの上面図である。
【図３】チャック部材および保持される携帯電話機の上面図である。
【図４】チャック部材および保持される携帯電話機の側面図である。
【図５】チャック部材および保持される携帯電話機の正面図である。
【図６】図３におけるＡ−Ａ断面図である。
【図７】図７の補助図である。
【図８】図３におけるＢ−Ｂ断面図である。
【符号の説明】
１０  シールドケース、１２  携帯電話機、１４  箱体、１６  蓋体、１８  基台、２０  チャック部材、２２  基準柱、２４  スライド体、２６  クリップ、２８  載置台、３０  アクリル板、３２  測定用アンテナ、４２  可動体、４４  固定体、４６  スプリング、５０  固定柱、５２  回転体、５４  ねじりスプリング。
【図１】
2004354171.tif 000003
【図２】
2004354171.tif 000004
【図３】
2004354171.tif 000005
【図４】
2004354171.tif 000006
【図５】
2004354171.tif 000007
【図６】
2004354171.tif 000008
【図７】
2004354171.tif 000009
【図８】
2004354171.tif 000010